【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  発話を示す入力データ・ストリームに基づいて発話を認識する音声認識方法であって、
ノードで接続された複数の音素ブランチを含む接頭語ツリーとして、前記入力データ・ストリームによって表され、音素から構成された可能性のある単語を提供するステップであって、各音素ブランチは音素に対応し、前記複数の音素ブランチは、前記接頭語ツリーの入力側で無音に対応する少なくとも１つの入力無音ブランチと、前記接頭語ツリーの出力側で無音に対応する少なくとも１つの出力無音ブランチとによって分類されている、前記のステップ、
前記接頭語ツリーをトラバースして、前記入力データ・ストリームによって表される可能性のある単語を得るステップと、
を含む、音声認識方法。
【請求項２】  前記接頭語ツリーをトラバースするステップは、
前記接頭語ツリーの入力側から前記接頭語ツリーの出力側までの複数の連続的ノードにスコアを割り当てることにより、前記接頭語ツリーをトラバースするステップであって、前記スコアは、そのとき前記スコアが割り当てられているノードに至るブランチに対応する音素を前記入力データが表す可能性を示している、前記のステップ、
前記接頭語ツリーの出力側で無音ノードに対応し、しきい値レベルを満たすスコアを割り当てられているＮ個の単語を、前記入力データ・ストリームによって表される可能性のある単語として選択する、前記のステップと、
を含む、請求項１に記載の音声認識方法。
【請求項３】  可能性のある単語を提供するステップは、
前記接頭語ツリーの入力側で前記接頭語ツリーに複数の無音ブランチを設けるステップであって、各無音ブランチはノードで少なくとも１つの音素ブランチに接続されている、前記のステップ、
を含む、請求項１に記載の音声認識方法。
【請求項４】  前記接頭語ツリーに複数の無音ブランチを設けるステップは、
前記接頭語ツリーに前記複数の無音ブランチを設けるステップであって、前記複数の無音ブランチによって表される前記無音は、文脈に基づいて変化する、前記のステップ、
を含む、請求項３に記載の音声認識方法。
【請求項５】  可能性のある語を提供するステップは、
前記接頭語ツリーの入力側で前記接頭語ツリーに前記複数の無音ブランチを設けるステップであって、各無音ブランチによって表される無音は、前記無音ブランチが接続されている前記音素に基づいて、他の無音ブランチによって表される音から変化する、前記のステップ、
を含む、請求項３に記載の音声認識方法。
【請求項６】  前記接頭語ツリーをトラバースするステップは、
前記無音ブランチと、前記入力データが、スコアが割り当てられているノードに至る前記無音ブランチに対応する前記無音を表す可能性を示す前記音素ブランチとの間に接続された前記ノードにスコアを割り当てるステップ、
を含む、請求項３に記載の音声認識方法。
【請求項７】  前記接頭語ツリーをトラバースするステップは、
前記無音ブランチと前記音素ブランチとの間に接続された前記ノードに割り当てられた前記スコアに基づいて、前記接頭語ツリーからブランチを取り除くステップ、
を含む、請求項６記載の音声認識方法。
【請求項８】  取り除くステップは、
割り当てられた前記スコアが、取り除きしきい値レベルを満たすノードから出る前記接頭語ツリーにおけるブランチを更にトラバースすることを打ち切るステップ、
を含む、請求項７に記載の音声認識方法。
【請求項９】  発話を示す入力データ・ストリームに基づいて前記発話を認識する音声認識方法であって、
前記音声認識方法は、無音によって分類された、前記入力データ・ストリームによって表される可能性のある単語から形成された見出し語を含む語彙目録を提供するステップ、
前記入力データ・ストリームに基づいて、前記語彙目録を検索して前記入力データ・ストリームによって表される可能性のある単語を判断するステップと、
を含む、音声認識方法。
【請求項１０】  発話を示す入力データから前記発話を認識する音声認識方法であって、
発話ユニットを表す発話ユニット・モデルを提供するステップ、
文脈依存無音の無音モデルを提供するステップ、
前記入力データに基づいて且つ、前記入力データによって表される可能性がある前記発話ユニット・モデルと前記無音モデルとに基づいて、発話ユニットおよび文脈依存無音を選択するステップ、
を含む、音声認識方法。
【請求項１１】  前記発話ユニット・モデルを提供するステップと前記無音モデルを提供するステップは、
前記発話ユニット・モデルと前記無音モデルとを、ノードに接続された複数の音素ブランチを含む接頭語ツリーとして設けるステップであって、各音素ブランチは音素に対応しており、前記複数の音素ブランチは、前記接頭語ツリーの入力側で無音に対応する少なくとも１つの入力無音ブランチと、前記接頭語ツリーの出力側で無音に対応する少なくとも１つの出力無音ブランチとによって分類されている、前記のステップ、
を含む、請求項１０に記載の音声認識方法。
【請求項１２】  発話ユニットおよび文脈依存無音を選択するステップは、
前記接頭語ツリーをトラバースして、前記入力データ・ストリームによって表される可能性がある単語を得るステップ、
含む、請求項１１に記載の音声認識方法。
【請求項１３】  発話を示す入力データを受け取るステップ、
前記発話が断続的か連続的かに関する指示を受け取るステップ、
前記発話が連続的である場合に、連続的発話データを含む連続的発話語彙目録を使用することにより、前記入力データによって表される最も可能性の高い発話ユニットを判断するステップ、
前記発話が断続的である場合に、断続的発話データを含む断続的発話語彙目録を使用することにより、前記入力データによって表される最も可能性の高い発話ユニットを判断するステップ、
を含む、音声認識方法。
【請求項１４】  前記発話が断続的か連続的かに関する指示を受け取るステップは、
前記入力データ内の無音を検出するステップ、
前記検出された無音に基づいて、前記入力データによって表される発話が断続的か連続的かを判断するステップ、
を含む、請求項１３に記載の音声認識方法。
【請求項１５】  前記発話が断続的か連続的かに関する指示を受け取るステップは、
認識中に単語エラーを監視するステップ、
前記監視された単語エラーに基づいて、前記入力データによって表される発話が断続的か連続的かを判断するステップ、
を含む、請求項１３に記載の音声認識方法。
【請求項１６】  前記発話が断続的か連続的かに関する指示を受け取るステップは、
前記入力データが断続的発話を表すのか連続的発話を表すのかを示すユーザ入力信号を受け取るステップ、
を含む、請求項１３に記載の音声認識方法。
【請求項１７】  前記発話が断続的か連続的かに関する指示を受け取るステップは、
認識基準に基づいて、断続的発話および連続的発話のうち所望の一方を選択するステップ、
使用者に前記選択された発話で話すように命令するステップ、
前記選択された発話に基づいて、前記発話が断続的か連続的かに関する指示を提供するステップ、
を含む、請求項１３に記載の音声認識方法。
【請求項１８】  断続的発話語彙目録を使用して前記入力データによって表される可能性が最も高い発話ユニットを判断するステップは、
無音によって分類された、前記入力データによって表される可能性のある単語から形成された見出し語を含む断続的発話語彙目録を提供するステップ、
前記入力データに基づいて、前記断続的発話語彙目録を検索して、前記入力データによって表される可能性のある単語を判断するステップ、
を含む、請求項１３に記載の音声認識方法。
【請求項１９】  ノードで接続された音素ブランチに対応する複数の音素を含む接頭語ツリーであって、前記複数の音素ブランチは、前記接頭語ツリーの入力側で無音に対応する少なくとも１つの入力無音ブランチと、前記接頭語ツリーの出力側で無音に対応する少なくとも１つの出力無音ブランチとによって分類されている接頭語ツリーを含む、構成要素を記憶させたコンピュータ読み取り可能媒体。
【請求項２０】  前記構成要素は、
前記接頭語ツリーをトラバースして、認識される発話を示す入力データ・ストリームによって表される可能性のある単語を得るように構成されたトラバース構成要素を含む、請求項１９に記載のコンピュータ読み取り可能媒体。
【請求項２１】  認識される発話を示す入力データ・ストリームによって表される可能性のある単語から形成された見出し語を含む語彙目録であって、前記見出し語は無音によって分類されている語彙目録と、
前記入力データ・ストリームに基づいて前記語彙目録を検索して、前記入力データ・ストリームによって表される可能性のある単語を判断するように構成された検索構成要素とを含む、構成要素を記憶されたコンピュータ読み取り可能媒体。
【請求項２２】  発話ユニットを表す複数の発話ユニット・モデルと、 文脈依存無音の複数の無音モデルと、
認識される発話を示す入力データに基づき且つ、前記発話ユニット・モデルと前記無音モデルとに基づいて、前記入力データによって表される可能性のある発話ユニットと文脈依存無音とを選択するように構成された選択構成要素とを含む、構成要素を記憶されたコンピュータ読み取り可能媒体。
【請求項２３】  連続的発話データを含む連続的発話語彙目録と、
断続的発話データを含む断続的発話語彙目録と、
認識される発話を示す入力データを受け取って、前記発話が連続的であるときには前記連続的発話語彙目録を、前記発話が断続的であるときには前記断続的発話語彙目録を使用することにより、前記入力データによって表される最も可能性の高い発話ユニットを判断するように構成された認識器構成要素とを含む、構成要素を記憶されたコンピュータ読み取り可能媒体。
【請求項２４】  前記入力データが連続的発話を表すのか断続的発話を表すのかを示す発話パターン・インジケータを提供するように構成された発話パターン構成要素であって、前記認識器構成要素は、前記発話パターン・インジケータが連続的発話を示すときには前記連続的発話語彙目録を、前記発話パターン・インジケータが断続的発話を示すときには前記断続的発話語彙目録を使用するように構成されている発話パターン構成要素を含む、請求項２３に記載のコンピュータ読み取り可能媒体。
【請求項２５】  前記発話パターン構成要素は、
前記入力データにおいて検出された無音と、
認識中に行われたエラーと、
前記入力データが連続的発話を表すのか断続的発話を表すのかに関するユーザ入力信号とのうち、少なくとも１つに基づいて、
前記入力データが断続的発話を表すのか連続的発話を表すのかを検出するように構成されている、請求項２４に記載のコンピュータ読み取り可能媒体。
【請求項２６】  認識基準に基づいて連続的発話および断続的発話のうち一方を選択し、連続的発話および断続的発話のうち前記選択された一方を使用するようにとの、ユーザに識別可能な命令を提供するように構成された命令構成要素を含む、請求項２３に記載のコンピュータ読み取り可能媒体。
【請求項２７】  少なくとも１つの入力無音を示すデータを含む第１のデータ部分と、
複数の音素を示すデータを含む第２のデータ部分と、
少なくとも１つの出力無音を示すデータを含む第３のデータ部分とを含み、
前記第１、第２および第３のデータ部分は、トラバースされたときに、入力データ・ストリームを表す可能性のある単語を生ずる接頭語ツリーとして機能するように配置されている、データ構造を記憶されたコンピュータ読み取り可能媒体。
【請求項２８】  入力データ・ストリームによって表される可能性のある単語から形成された見出し語を有する語彙目録を示すデータを含む第１のデータ部分と、
文脈依存無音を示すデータを含む第２のデータ部分とを含み、
前記第１および第２のデータ部分は、音声認識に使用されたときに、前記入力データ・ストリームによって表される可能性のある単語を生ずる無音分類語彙目録として機能する、データ構造を記憶されたコンピュータ読み取り可能媒体。